(57)【要約】【課題】高温及び低温における長期の保存安定性に優れた油中水（Ｗ／Ｏ）型エマルションを提供する。【解決手段】乳化剤としてポリグリセリン脂肪酸エステルを用いて油相中に水相を乳化して得られた油中水（Ｗ／Ｏ）型エマルションを３０℃〜９０℃で３時間〜２週間保持することを特徴とする油中水（Ｗ／Ｏ）型エマルションの製造方法。ポリグリセリン脂肪酸エステルの脂肪酸部分がオレイン酸またはイソステアリン酸で、かつ、前記ポリグリセリン脂肪酸エステルのＨＬＢが７〜１４であることが好ましい。乳化剤としてさらにアルキルグリセリルエーテルまたはソルビタン脂肪酸エステルを含有することが好ましい。油相及び／又は水相は色材を含有させることでインクジェット用油中水（Ｗ／Ｏ）型エマルションインキが得られる。【選択図】なし【特許請求の範囲】
【請求項１】
乳化剤としてポリグリセリン脂肪酸エステルを用いて油相中に水相を乳化して得られた油中水（Ｗ／Ｏ）型エマルションを３０℃〜９０℃で３時間〜２週間保持することを特徴とする油中水（Ｗ／Ｏ）型エマルションの製造方法。
【請求項２】
前記ポリグリセリン脂肪酸エステルの脂肪酸部分がオレイン酸またはイソステアリン酸で、かつ、前記ポリグリセリン脂肪酸エステルのＨＬＢが７〜１４である、請求項１に記載の製造方法。
【請求項３】
前記油中水（Ｗ／Ｏ）型エマルションが乳化剤としてさらにアルキルグリセリルエーテルまたはソルビタン脂肪酸エステルを含有する、請求項１に記載の製造方法。
【請求項４】
前記ポリグリセリン脂肪酸エステルと前記アルキルグリセリルエーテルまたはソルビタン脂肪酸エステルとの配合比率は、質量比（ポリグリセリン脂肪酸エステルの配合量：アルキルグリセリルエーテル及びソルビタン脂肪酸エステルの合計配合量）にて９５〜５０：５〜５０である、請求項３に記載の製造方法。
【請求項５】
前記油中水（Ｗ／Ｏ）型エマルションは、前記油相及び／又は前記水相に色材を含有するインクジェット用油中水（Ｗ／Ｏ）型エマルションインキである、請求項１乃至４の何れか１項に記載の製造方法。
【発明の詳細な説明】
【技術分野】
【０００１】
本発明は、医薬品、化粧品、インキ等の用途に適した油中水（Ｗ／Ｏ）型エマルションの製造方法であって、高温及び低温の何れにおいても長期保存安定性に優れた油中水（Ｗ／Ｏ）型エマルションを提供するものに関する。
【背景技術】
【０００２】
油中水（Ｗ／Ｏ）型エマルションは、医薬品、化粧品、インキ等に用いられている。このうち、水分の含有量が少なく低粘度な油中水（Ｗ／Ｏ）型エマルションは、インクジェットヘッドからの吐出が可能である為、インクジェット用インキに好適である。インクジェット用油中水（Ｗ／Ｏ）型エマルションインキは、普通紙に印刷した場合、水性インキに比べ、印刷用紙にカールを生じさせることが少なく、油性インキに比べ、印刷濃度が高くなるとともに裏抜けが低減するので、普通紙を対象とした高速印刷が可能になる（特許文献１及び２参照）。しかし、特許文献１及び２の油中水（Ｗ／Ｏ）型エマルションインキは、乳化剤としてＨＬＢ値が３〜５のポリグリセリンヒドロキシ脂肪酸エステルを用いているが、保存安定性に関しては必ずしも十分とは言えなかった。
【０００３】
本発明者等は、脂肪酸部分がイソステアリン酸またはオレイン酸であり且つＨＬＢが７〜１４であるポリグリセリン脂肪酸エステルとアルキルグリセリルエーテルとを乳化剤として併用することによって、７０℃において１週間以上の保存安定性を示す、インクジェット用インキに適した低粘度の油中水（Ｗ／Ｏ）型エマルションが形成されることを既に見出している。しかし、この油中水（Ｗ／Ｏ）型エマルションは、氷点下で１週間以上放置すると保存安定性が損なわれるという問題を有していた。
【先行技術文献】
【特許文献】
【０００４】
【特許文献１】特開２００６−５６９３１号公報
【特許文献２】特開２００９−５７４６２号公報
【発明の開示】
【発明が解決しようとする課題】
【０００５】
本発明の目的は、高温及び低温の何れにおいても長期の保存安定性に優れた油中水（Ｗ／Ｏ）型エマルションを提供することにある。
【課題を解決するための手段】
【０００６】
本発明者等は、上記目的の下に鋭意研究した結果、乳化剤としてポリグリセリン脂肪酸エステルを用いた油中水（Ｗ／Ｏ）型エマルションを一定温度で一定時間保持してエージングすることで、高温及び低温における長期の保存安定性を両立させることができることを見出し、本発明を完成するに至った。
【０００７】
すなわち、本発明によれば、乳化剤としてポリグリセリン脂肪酸エステルを用いて油相中に水相を乳化して得られた油中水（Ｗ／Ｏ）型エマルションを３０℃〜９０℃で３時間〜２週間保持することを特徴とする油中水（Ｗ／Ｏ）型エマルションの製造方法が提供される。
【０００８】
上記油相及び水相の少なくとも何れか１つに色材を含有させれば、油中水（Ｗ／Ｏ）型エマルションインキが得られる。このエマルションインキは、低粘度に構成することができ、吐出性に優れるため、インクジェット用インキとして好適である。
【発明の効果】
【０００９】
本発明によれば、乳化剤としてポリグリセリン脂肪酸エステル及び所望によりアルキルグリセリルエーテルまたはソルビタン脂肪酸エステルを使用して油中水（Ｗ／Ｏ）型エマルションを形成した後、得られたエマルションを３０℃〜９０℃で３時間〜２週間保持してエージングすることとしたので、高温及び低温の何れにおいても長期保存安定性に優れた油中水（Ｗ／Ｏ）型エマルション、及び、該エマルションを用いた油中水（Ｗ／Ｏ）型エマルションインキが得られる。
【発明を実施するための最良の形態】
【００１０】
以下、本発明を更に詳細に説明する。
本発明は、油中水（Ｗ／Ｏ）型エマルションを製造した後、該エマルションを一定温度で一定時間保持してエージングすることを特徴とする。エージングする際の保持温度は３０℃〜９０℃であり、４５℃〜８０℃がより好ましい。エージングする際の保持時間は、３時間〜２週間であるが、６時間〜１０日が好ましい。保持温度及び保持時間が短すぎると保存安定性の改善効果が十分得られない。保持温度が高すぎると、逆に保存安定性を悪化させる。保持時間を２週間より長くしても、更なる保存安定性の改善効果は得られない。エージングは、油中水（Ｗ／Ｏ）型エマルションを形成させた後、直ちに恒温槽等の温度制御された環境下にエマルションを放置することにより行うことができる。エージングに供する油中水（Ｗ／Ｏ）型エマルションは、油相及び水相を混合し、該油相中に該水相を微細な粒子として分散させることによって得られる。
【００１１】
油相は、有機溶剤及び乳化剤から主として構成されるが、必要に応じて、色材等の他の成分を含有してもよい。
【００１２】
有機溶剤としては、非極性溶剤及び極性溶剤の何れも使用できる。これらは、単独で使用してもよく、または、単一の相を形成する限り、２種以上組み合わせて使用できる。
【００１３】
非極性溶剤としては、ナフテン系、パラフィン系、イソパラフィン系等の石油系炭化水素溶剤を使用でき、具体的には、ドデカンなどの脂肪族飽和炭化水素類、エクソンモービル社製「アイソパー、エクソール」（いずれも商品名）、ＪＸ日鉱日石エネルギー社製「ＡＦソルベント」（商品名）、サン石油社製「サンセン、サンパー」（いずれも商品名）等が挙げられる。これらは、単独で、または、２種以上組み合わせて用いることができる。
【００１４】
極性溶剤としては、エステル系溶剤、アルコール系溶剤、脂肪酸系溶剤、エーテル系溶剤などが挙げられる。これらは、単独で、または、２種以上組み合わせて用いることができる。
【００１５】
エステル系溶剤としては、例えば、１分子中の炭素数が５以上、好ましくは９以上、より好ましくは１２乃至３２の高級脂肪酸エステル類が挙げられ、例えば、イソノナン酸イソデシル、イソノナン酸イソトリデシル、イソノナン酸イソノニル、ラウリル酸メチル、ラウリル酸イソプロピル、ミリスチン酸イソプロピル、パルミチン酸イソプロピル、パルミチン酸イソオクチル、パルミチン酸ヘキシル、パルミチン酸イソステアリル、イソパルミチン酸イソオクチル、オレイン酸メチル、オレイン酸エチル、オレイン酸イソプロピル、オレイン酸ブチル、オレイン酸ヘキシル、リノール酸メチル、リノール酸イソブチル、リノール酸エチル、ステアリン酸ブチル、ステアリン酸ヘキシル、ステアリン酸イソオクチル、イソステアリン酸イソプロピル、ピバリン酸２−オクチルドデシル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２エチルヘキサン酸グリセリルなどが挙げられる。
【００１６】
アルコール系溶剤としては、例えば、１分子中の炭素数が１２以上の脂肪族高級アルコール類が挙げられ、具体的には、イソミリスチルアルコール、イソパルミチルアルコール、イソステアリルアルコール、オレイルアルコールなどの高級アルコールが挙げられる。
【００１７】
脂肪酸系溶剤としては、例えば、１分子中の炭素数が４以上、好ましくは９乃至２２の脂肪酸類が挙げられ、イソノナン酸、イソミリスチン酸、ヘキサデカン酸、イソパルミチン酸、オレイン酸、イソステアリン酸などが挙げられる。
【００１８】
エーテル系溶剤としては、ジエチルグリコールモノブチルエーテル、エチレングリコールモノブチルエーテル、プロピレングリコールモノブチルエーテル、プロピレングリコールジブチルエーテルなどのグリコールエーテル類の他、グリコールエーテル類のアセタートなどが挙げられる。
【００１９】
乳化剤としては、ポリグリセリン脂肪酸エステル（以下「乳化剤（Ａ）」）が必須成分として使用され、所望によりアルキルグリセリルエーテル及びソルビタン脂肪酸エステルから選ばれた少なくとも１つの乳化剤（以下「乳化剤（Ｂ）」）が併用される。これらの乳化剤を使用することで、エマルションが熟成し易くなり、上記温度及び時間でエージングした時、エマルションの粒子径が小さく均一化し、エマルションの安定性が向上する。さらに、必要に応じて、他の乳化剤を併用してもよい。
【００２０】
ポリグリセリン脂肪酸エステルとしては、脂肪酸部分がオレイン酸またはイソステアリン酸であり、ＨＬＢが７〜１４であるポリグリセリン脂肪酸エステルが好ましく用いられる。ここにおいて、ポリグリセリン脂肪酸エステルとは、ポリグリセリンと脂肪酸とのエステル化物を言う。ポリグリセリン脂肪酸エステルが上記要件を満たさない場合、エマルションの粘度が高くなり、また、エマルションの保存安定性が劣る場合がある。脂肪酸部分がイソステアリン酸であると、エマルションの粘度が低くなり、かつ、エマルションの保存安定性も高度に改善できるため、好ましい。
【００２１】
上記ポリグリセリン脂肪酸エステルにおいて、グリセリンの重合度は４以上が好ましく、４〜２０であることがより好ましく、６〜１６であることが更により好ましく、このポリグリセリン１分子当たり数個（例えば１〜３個）の上記高級脂肪酸がエステル結合して付加していることが好ましい。グリセリンの重合度が４未満では、水相の分離が起こり易くなることがある。また、上記ポリグリセリン脂肪酸エステルの有機性値は５５０〜２３００が好ましく、無機性値は６００〜２５００が好ましい。上記ポリグリセリン脂肪酸エステルのより好ましい有機性値は５５０〜１７００であり、より好ましい無機性値は６００〜１８００である。有機性値が２３００より大きい場合や、無機性値が２５００より大きい場合はエマルションの粘度が高くなってしまう。
【００２２】
好ましいポリグリセリン脂肪酸エステルの具体例としては、モノイソステアリン酸デカグリセリル、モノイソステアリン酸ヘキサグリセリル、モノイソステアリン酸テトラグリセリル、ジイソステアリン酸デカグリセリル、モノオレイン酸デカグリセリル、モノオレイン酸ヘキサグリセリル、モノオレイン酸テトラグリセリル、ジオレイン酸デカグリセリル、トリオレイン酸デカグリセリルなどが挙げられる。
【００２３】
アルキルグリセリルエーテルとしては、２３℃で液体のものが好ましい。２３℃で固体のものは、低温で析出物を生じる可能性がある。アルキルグリセリルエーテルのアルキル基としては、炭素数１２〜２４のアルキル基が好ましく、炭素数１６〜１８のアルキル基がより好ましい。アルキルグリセリルエーテルの具体例としては、モノミリスチルグリセリルエーテル、モノパルミチルグリセリルエーテル、モノステアリルグリセリルエーテル、モノオレイルグリセリルエーテル、モノイソステアリルグリセリルエーテルなどが挙げられる。
【００２４】
ソルビタン脂肪酸エステルとしては、例えば、ＨＬＢが３〜１２のソルビタン脂肪酸エステルが挙げられ、このうちＨＬＢが５〜１０のものが好ましい。ソルビタン脂肪酸エステルの具体例としては、モノイソステアリン酸ソルビタン、セスキイソステアリン酸ソルビタンなどが挙げられる。
【００２５】
前記ポリグリセリン脂肪酸エステル（乳化剤（Ａ））と前記アルキルグリセリルエーテル及びソルビタン脂肪酸エステル（乳化剤（Ｂ））の配合比率は、質量比（ポリグリセリン脂肪酸エステルの配合量（乳化剤（Ａ））：アルキルグリセリルエーテル及びソルビタン脂肪酸エステルの合計配合量（乳化剤（Ｂ））にて：９５〜５０：５〜５０が好ましい。アルキルグリセリルエーテル及び／又はソルビタン脂肪酸エステルを上記配合比率で併用することにより、高温及び低温での長期保存安定性を高度に改善できる。
【００２６】
本発明における上記乳化剤（Ａ）及び（Ｂ）の合計使用量は、油中水（Ｗ／Ｏ）型エマルション全量に対し、固形分質量比で、０．５〜４０質量％であることが好ましく、より好ましくは１〜３０質量％であり、さらに好ましくは２〜２０質量％である。この使用量が０．５質量％に満たない場合には、エマルションの保存安定性が低下する可能性がある。また、この使用量が４０質量％を超えた場合には、粘度が高くなり、インクジェット用インキには適さなくなる可能性がある。また、乳化剤の使用量は、油相の量の５〜７０質量％であることが好ましく、１０〜６０質量％であることがより好ましい。
【００２７】
なお、「有機性値」及び「無機性値」は、藤田穆により提案された「有機概念図」において用いられている概念に基づくものであり、有機化合物をその炭素領域の共有結合連鎖に起因する「有機性」と置換基（官能基）に存在する静電性の影響による「無機性」との２因子に分けてそれぞれを数値化したものであり、個々の化合物の構造等から求められる値である。「有機概念図」に関連する事項は、藤田穆著「系統的有機定性分析（混合物編）」風間書房（１９７４）等に詳述されている。
【００２８】
ＨＬＢは下記式より算出した理論値である。
ＨＬＢ  ＝  ｛（無機性値）／（有機性値）｝×１０
【００２９】
油相は、例えばディスパー等の公知の撹拌混合機又はビーズミル等の公知の分散機に全成分を一括又は分割して投入して分散させ、所望により、メンブレンフィルター等の公知のろ過機を通すことにより調製できる。
【００３０】
水相は、水に、必要に応じて、色材、金属塩、電解質、保湿剤、水溶性高分子、水中油（Ｏ／Ｗ）型樹脂エマルション、防黴剤、防腐剤、ｐＨ調整剤、凍結防止剤等を溶解又は分散して構成される。
【００３１】
水相に含有される水としては、特に限定されず、例えば、イオン交換水、蒸留水等を用いることができる。
【００３２】
高温で保存した場合のインキの粘度変化を抑制するために、水相にグリセリン又はジグリセリンを添加することが好ましい。グリセリン又はジグリセリンの配合量は、水相全体の５〜５０質量％であることが好ましく、５〜４０質量％あることがより好ましい。５質量％未満の場合、粘度変化抑制効果が得られ難くなり、５０質量％より多いと、吐出安定性や保存安定性が悪くなる可能性がある。
【００３３】
水相は、例えばディスパー等の公知の撹拌混合機又はビーズミル等の公知の分散機に全成分を一括又は分割して投入して分散させ、所望により、メンブレンフィルター等の公知のろ過機を通すことにより調製できる。
【００３４】
本発明の油中水（Ｗ／Ｏ）型エマルションは、上記の油相と水相を混合、乳化させることにより製造できる。水相と油相は、予め別々に調製したのち、油相中に水相を添加して乳化させてもよく、または、水相に油相を構成する成分を一括または個別に添加した後、乳化させてもよい。製造には、ディスパーミキサー、ホモミキサー等の公知の乳化機を用いることができる。
【００３５】
本発明の油中水（Ｗ／Ｏ）型エマルションは、油相４０〜９５質量％及び水相６０〜５質量％となるように配合することが好ましい。水相の比率が６０質量％を越えると、油中水（Ｗ／Ｏ）型エマルション中で水相が分離しやすくなる。水相の比率が５質量％に満たないと、インキとして使用した場合、印刷濃度が低くなったり、印刷物に裏抜けが発生したりする可能性がある。一般に、水相の比率が高くなると、エマルション粘度が上昇する傾向があるため、両相の配合比率は、油相５０〜９５質量％及び水相５０〜５質量％がより好ましく、油相６０〜９５質量％及び水相４０〜５質量％がさらにより好ましく、油相７０〜９５質量％及び水相３０〜５質量％が特に好ましい。
【００３６】
本発明の油中水（Ｗ／Ｏ）型エマルションに色材を含有させることにより、幅広い温度条件において水相の分離が起こらず、高温でのエマルション粒子の粗大化が起こらない油中水（Ｗ／Ｏ）型エマルションインキを調製することができる。色材は、油相及び水相の少なくとも何れか一方に含有させればよい。色材としては、染料及び顔料の何れも使用することができる。色材は、インキ全量に対して０．０１〜２０質量％の範囲で含有させることが好ましい。
【００３７】
顔料としては、有機顔料、無機顔料を問わず、印刷の技術分野で一般に用いられているものを使用でき、特に限定されない。具体的には、カーボンブラック、カドミウムレッド、クロムイエロー、カドミウムイエロー、酸化クロム、ピリジアン、チタンコバルトグリーン、ウルトラマリンブルー、プルシアンブルー、コバルトブルー、アゾ系顔料、フタロシアニン系顔料、キナクリドン系顔料、イソインドリノン系顔料、ジオキサジン系顔料、スレン系顔料、ペリレン系顔料、チオインジゴ系顔料、キノフタロン系顔料、金属錯体顔料などが好適に使用できる。これらの顔料は単独で用いてもよいし、２種以上組み合わせて使用してもよい。
【００３８】
染料としては、たとえば、アゾ系、アントラキノン系、アジン系等の油溶性染料及び水溶性染料を用いることができる。
【００３９】
上記色材を油相又は水相中に良好に分散又は溶解させるために、色材とともに分散剤または溶解助剤を添加してもよい。分散剤の含有量は、色材を十分に水相又は油相中に分散又は溶解可能な量であれば足り、適宜設定できる。
【００４０】
エマルションの安定性の観点からは、水相に色材として水溶性染料を含有させることが好ましく、また、さらに油相に顔料を含有させることがより好ましい。水溶性染料としては、例えば、アゾ系、アントラキノン系、アジン系などのアニオン性染料が挙げられる。ここで、アニオン性染料は、染料イオンが、アニオン性を示すものの総称である。
【００４１】
水溶性染料の配合量は、水相全量に対して５〜３０質量％が好ましく、１０〜２４質量％がより好ましい。水溶性染料濃度が５質量％未満では、粘度が悪化する。また、３０質量％より多いとインクジェットヘッドからの吐出性が悪くなる。水相には、水溶性染料の溶解助剤を添加してもよい。
【００４２】
本発明において、エマルションがインクジェット用油中水（Ｗ／Ｏ）型エマルションインキである場合の製造方法は、特に限定されない。例えば、油相に乳化剤とともに顔料を含有させておき、そこに色材を含有せしめた水相を添加して乳化する方法、予め有機溶剤の一部と顔料の全量を均一に分散させた顔料分散液を調製しておき、この分散液に残りの成分を添加して乳化する方法、顔料を有機溶剤に分散させて得た顔料分散液又は色材を含有せしめた水相を予め調製しておいた油中水（Ｗ／Ｏ）型エマルションに混合して更に乳化する方法等が挙げられる。製造には、ディスパーミキサー、ホモミキサー等の公知の乳化機を用いることができる。
【００４３】
このようにして得られる油中水（Ｗ／Ｏ）型エマルションインキの２３℃における粘度は、インクジェット用途の場合、５〜１００ｍＰ・ｓの範囲に設定することが好ましく、５〜５０ｍＰａ・ｓの範囲に設定することがより好ましく、１０〜２０ｍＰａ・ｓの範囲に設定することが特に好ましい。インキの粘度は、油相の構成成分の種類及び量、水相の量を調節することによって調整できる。一般的には、水相の量及び／又は乳化剤の量が少ないほど、インキの粘度は低下する。
【実施例】
【００４４】
以下、本発明を実施例により詳細に説明するが、本発明はこの実施例に限定されるものではない。
【００４５】
実施例１〜７、比較例１〜４
表１に示す配合量の顔料と分散剤を、同表に示す溶剤の一部と混合し、ロッキングミル（セイワ技研製）で顔料を分散して顔料分散体を得た。次に、表１に示す配合量の水、水溶性染料及びグリセリンを混合して水相を得た。また、残りの溶剤の一部に乳化剤を溶解させた乳化剤溶液を得た。この乳化剤溶液に、高速ホモジナイザー「ヒスコトロン」（商品名：マイクロテック・ニチオン社製）を用いて５０００ｒｐｍで攪拌しながら上記水相を滴下した後、２００００ｒｐｍで５分間攪拌して油中水（Ｗ／Ｏ）型エマルションを得た。さらに、上記顔料分散体を残りの溶剤で希釈した後、上記油中水（Ｗ／Ｏ）型エマルションと混合することにより、油中水（Ｗ／Ｏ）型エマルションインキを作製した。その後、この油中水（Ｗ／Ｏ）型エマルションインキを１０ｍｌのスクリューバイアル瓶に入れて、表１に示す保持温度及び保持時間の条件下に放置してエージングした。なお、表１中の各成分の配合量は質量部で示してある。
【００４６】
上記実施例及び比較例でそれぞれ得られた油中水（Ｗ／Ｏ）型エマルションインキについて、以下の方法により評価を行った。
【００４７】
（１）吐出性能
ライン型インクジェットプリンター「オルフィスＨＣ５５００」（商品名：理想科学工業（株）製）を用いて、普通紙「理想用紙薄口」（商品名：理想科学工業（株）製）にベタ画像を１０枚連続で印刷し、インキの不吐出の様子を観察し、次の基準で評価した。
Ａ：不吐出がほとんど無く、１枚目と１０枚目でほぼ同じ画像が印刷できた。
Ｂ：不吐出が多く、１枚目と１０枚目で同じ画像が印刷できない。
Ｃ：吐出不可能、または不吐出が多過ぎてベタ画像が印刷できない。
【００４８】
（２）保存安定性
油中水（Ｗ／Ｏ）型エマルションインキは、経時で粘度が変化する可能性がある。一定条件で放置した後のエマルションの粘度と、調製直後の粘度とを比較する事によって保存安定性を評価した。油中水（Ｗ／Ｏ）型エマルションインキを１０ｍｌのスクリューバイアル瓶に入れて、−５℃又は７０℃で１カ月放置した。その後、インキを混合してサンプリングし、インキ粘度を測定した。得られたエマルションの粘度は、レオメーターＡＲ−Ｇ２（ティー・エイ・インスツルメント社製）を用いて室温（２３℃）で測定した。
【００４９】
インキ粘度変化率（％）：
｛放置後のインキ粘度（mPas）／調製直後の粘度（mPas）｝×１００
【００５０】
下記の様に表されるインキ粘度変化率を指標にして、保存安定性を次の基準に基づいて評価した。
Ａ：インキ粘度変化率が±５％以内である。
Ｂ：インキ粘度変化率が±５％以上１０％未満である。
Ｃ：インキ粘度変化率が±１０％以上である。
【００５１】
【表１】
2013215687.tif 000002
【００５２】
なお、表１記載の原材料の詳細は、以下の通りである。
ジイソステアリン酸デカグリセリル：Ｄｅｃａｇｌｙｎ２−ＩＳＶ（商品名）日光ケミカルズ株式会社製。
モノイソステアリン酸テトラグリセリル：ＩＳ４０１Ｐ（商品名）阪本薬品工業株式会社製。
モノオレイン酸ヘキサグリセリル：Ｈｅｘａｇｌｙｎ１−ＯＶ（商品名）日光ケミカルズ株式会社製。
トリオレイン酸デカグリセリル：Ｄｅｃａｇｌｙｎ３−ＯＶ（商品名）日光ケミカルズ株式会社製。
モノイソステアリルグリセリルエーテル：ペネトールＧＥ−ＩＳ（商品名）花王株式会社製。
モノオレイルグリセリルエーテル：セラキルアルコール（商品名）日光ケミカルズ株式会社製。
モノイソステアリン酸ソルビタン：ＳＩ−１０ＲＶ（商品名）日光ケミカルズ株式会社製。
セスキイソステアリン酸ソルビタン：ＳＩ−１５ＲＶ（商品名）日光ケミカルズ株式会社製。
カーボンブラックＭＡ８（商品名）：三菱化学株式会社製カーボンブラック。
ソルスパース２８０００（商品名）：日本ルーブリゾール株式会社製顔料分散剤。
ＡＦソルベント６号（商品名）：ＪＸ日鉱日石エネルギー（株）製石油系炭化水素溶剤。
オレイン酸メチル：ＭＯＬ（商品名）日光ケミカルズ株式会社製。
ドデカン：和光純薬工業株式会社製ドデカン。
Ｆｏｏｄ  Ｂｌａｃｋ２：ＫＳＴ  Ｂｌａｃｋ  Ｊ−ＢＬ（商品名）日本化薬株式会社製。
グリセリン：和光純薬工業（株）製グリセリン。
【００５３】
これらの評価結果を表１に示す。表１から以下のことがわかる。
乳化剤としてポリグリセリン脂肪酸エステルとアルキルグリセリルエーテルを併用した油中水（Ｗ／Ｏ）型エマルションインキを保持温度５０〜７０℃及び保持時間５時間〜１週間の条件でエージングした実施例１〜４では、吐出性能だけでなく、―５℃及び７０℃での長期保存安定性に優れていた。乳化剤を他のポリグリセリン脂肪酸エステルと他のアルキルグリセリルエーテルに代えた実施例５でも、吐出性能だけでなく、―５℃及び７０℃での長期保存安定性も良好であった。さらに、乳化剤として他のポリグリセリン脂肪酸エステルとソルビタン脂肪酸エステルを使用した実施例６及び７でも、実施例５と同様の結果が得られた。
【００５４】
これに対し、エージングしなかった比較例１〜４では、吐出性能及び７０℃での長期保存安定性は良好であったが、―５℃での長期保存安定性が劣っていた。
【産業上の利用可能性】
【００５５】
本発明の製造方法で得られる油中水（Ｗ／Ｏ）型エマルションは、高温及び低温の何れにおいても長期保存安定性に優れているので、本発明は、温度変化の激しい環境下で製造、使用又は保存される医薬品、化粧品、インキ等の各種製品の製造に応用することができ、また、低粘度化が容易に達成できるので、インクジェット印刷の分野、特に、ラインヘッド型インクジェット方式を採用したビジネスプリンタのインキの製造に利用できる。